(57)【特許請求の範囲】
【請求項１】
台部と、該台部から立設される受板と、該受板先端縁から両側に差出された庇板とからなり、該受板と庇板とによって該受板の両側に実嵌合部を形成したパネル接合金具であって、該金具の長さは少なくとも相隣り合う壁躯体柱間の距離よりも大きく設定されているパネル接合金具を壁躯体柱間に差渡して固定し、該パネル接合金具によって上下左右の壁パネルを接合する壁構造であって、
該壁パネルの相隣接する二辺には下実が形成され、他の相隣接する二辺には上実が形成されており、該上実の根端下側からは内実が差出されており、該パネル接合金具の受板の両側の実嵌合部に上下の壁パネルの内実と下実とを嵌合し、左右の壁パネルの接合部においては下実の上に上実を重ね、上記左右の壁パネルの接合部には壁躯体柱間に位置するものが存在していることを特徴とする壁構造。
【発明の詳細な説明】
【０００１】
【発明の属する技術分野】
本発明は主として壁パネルを接合固定するために使用されるパネル接合金具および該金具を用いた壁構造に関するものである。
【０００２】
【従来の技術】
従来、図８に示すように台部１５と、該台部１５から立設される受板１６と、該受板１６の先端縁から両側に分枝された庇板１７，１８とからなり、該受板１６と庇板１７，１８とによって該受板１６の両側には実嵌合部１９，２０が形成されているパネル接合金具１４が提供されている（例えば実公平７−４８８４７号）。
例えば壁構造１を施工するには、先ず壁躯体柱２の下側所定位置に上記パネル接合金具１４を止着しておき、下段の壁パネル３を壁躯体柱２に当接し、該壁パネル３の下側の実部３Ｇを上記パネル接合金具１４の受板１６の上側の実嵌合部１９に嵌合し、次いで該壁躯体柱２の上側所定位置に上記パネル接合金具１４をビス２１または釘によって止着すると共に該パネル接合金具１４の受板１６の下側の実嵌合部２０に該下段の壁パネル３の上縁の実部３Ａを嵌合し、次いで該接合金具１４の受板１６の上側の実嵌合部１９に上段の壁パネル３の下縁の実部３Ｇを嵌合する。
このようにして該壁パネル３は該接合金具１４によって接合されかつ壁躯体柱２に固定される。
【０００３】
最近図３に示すような四辺相欠り構造を有する壁パネル３が提供されている。該壁パネル３は相隣接する二辺に下実３Ａが形成され、他の相隣接する二辺に上実３Bが形成され、上実３B根端下側からは内実３Ｇが差出されている。そして図５に示すように下段の壁パネル３の下実３Ａの先端部が該接合金具１４の下側の実嵌合部２０に嵌合され、上段の壁パネル３の内実３Ｇが該接合金具１４の上側の実嵌合部１９に嵌合され、下段の壁パネル３の下実３Ａ上に上段の上実３Ｂが重ねられ、下段の壁パネル３の段部３Ｄが目地３Ｈとして外側から目視される。そして四辺相欠り加工の壁パネル３であれば、上下接合部分のみならず左右接合部分でも、図７に示すように左側の壁パネル３の面取り部３Ｃと右側の壁パネル３の上実３Ｂの面取り部３Ｆとが目地３Ｉとして目視されるので、施工される壁の見栄えが非常に良くなる。
【０００４】
【発明が解決しようとする課題】
上記壁構造１にあっては、上下のみならず左右の壁パネル３の接合部も接合金具１４の位置に置かねばならない。何となれば、左右の壁パネル３の接合部が図９に示すように接合金具１４にバックアップされていないと、双方のパネル３，３の下実３Ａと上実３Ｂとの間に隙間Ｓが生じ易くなり、折角四辺相欠り構造の壁パネルを使用しても、左右のパネルの接合部の見栄えが悪くなるし、該隙間Ｓから漏水するおそれがある。特に該壁パネルにかかる風圧が大きい場合には、壁パネルがたわんで隙間Ｓが拡大し、漏水のおそれが高くなる。
【０００５】
しかし左右のパネル接合部を壁躯体柱２に止着されている接合金具１４の位置に置くには、壁パネル３の横巾が壁躯体柱２間の距離ｌに規制されることになり、壁パネル３の横巾に対する自由度がなくなってしまう。また壁躯体柱２間距離が建築物によって異なる場合には、それに対応して種々の横巾の壁パネル３を用意しなければならない。
【０００６】
【課題を解決するための手段】
本発明は上記従来の課題を解決するための手段として、台部５と、該台部５から立設される受板６と、該受板６先端縁から両側に差出された庇板７，８とからなり、該受板６と庇板７，８とによって該受板６の両側に実嵌合部９，１０を形成したパネル接合金具４であって、該金具４の長さｌ１は少なくとも相隣り合う壁躯体柱２Ａ，２Ｂ間の距離ｌ２よりも大きく設定されているパネル接合金具４を壁躯体柱２Ａ，２Ｂ間に差渡して固定し、該パネル接合金具４によって上下左右の壁パネル３を接合する壁構造１であって、
該壁パネル３の相隣接する二辺には下実３Ａが形成され、他の相隣接する二辺には上実３Ｂが形成されており、該上実３Ｂの根端下側からは内実３Ｇが差出されており、該パネル接合金具４の受板６の両側の実嵌合部９，１０に上下の壁パネル３の内実３Ｇと下実３Ａとを嵌合し、左右の壁パネル３の接合部においては下実３Ａの上に上実３Ｂを重ね、上記左右の壁パネル３の接合部には壁躯体柱２Ａ，２Ｂ間に位置するものが存在していることを特徴とする壁構造１を提供するものである。ここに壁躯体柱２Ａ，２Ｂとは主柱および主柱間に介在する間柱であり、壁躯体柱間の距離とは主柱間あるいは主柱と間柱の間隔、即ち基本モジュールの間隔を云う。
【０００７】
【作用】
本発明のパネル接合金具４は壁躯体柱２Ａ，２Ｂ間に差渡されて固定される。そして上下の壁パネル３の実部分を該接合金具４の受板６の両側の実嵌合部９，１０に嵌合することによって、該上下の壁パネル３を接合すると共に壁躯体柱２Ａ，２Ｂに固定する。
左右の壁パネル３の接合部分が壁躯体柱２Ａ，２Ｂ間に位置した場合でも、該接合金具４は壁躯体柱２Ａ，２Ｂ間に差渡されているから、上記左右の壁パネル３の接合部分は該接合金具４によってバックアップされる。
したがって該壁パネル３が四辺相欠り構造を有している場合、左右の壁パネル３，３の上実３Ｂと下実３Ａとが密接して隙間を生じない。
【０００８】
【実施例】
本発明を図１〜図７に示す一実施例によって説明する。
図１に示す壁構造１において、相隣り合う壁躯体柱（主柱２Ａと間柱２Ｂ間）間にはパネル接合金具４が所定位置に差渡され、該接合金具４によって壁パネル３が壁躯体柱２Ａ，２Ｂ間に上下左右にわたって接合固定されている。該接合金具４は図２に示すように台部５と、該台部５の中間から立設される受板６と、該受板の先端縁から両側に差出された庇板７，８とからなり、該受板６の両側には該受板と該庇板７，８とによって実嵌合部９，１０が形成されている。該台部５には複数個のビスまたは釘穴である縦長孔１１Ａと丸孔１１Ｂとが設けられており、また受板６には所定間隔をおいて水抜き孔１１Ｃが設けられている。更に該接合金具４の端部において庇板８が内側に折曲げられて爪部８Ａが形成されている。
【０００９】
該接合金具４の長さｌ１は相隣り合う壁躯体柱２Ａ，２Ｂ間の距離ｌ２よりも大きく設定されており、望ましくは相隣り合う壁躯体柱２Ａ，２Ｂの外縁間の距離ｌ３よりも大きく設定される（ｌ１＞ｌ３）。
【００１０】
該壁パネル３は図３に示すように四辺相欠り構造を有している。即ち図４および図６に示すように該壁パネル３の上辺には面取り部３Ｃおよび段部３Ｄを介して下実３Ａが形成され、右辺には面取り部３Ｃおよび垂直部３Ｅを介して下実３Ａが形成され左辺には先端に面取り部を有する上実３Ｂが差出され、下辺には先端に面取り部３Ｆを有する上実３Ｂと、該上実３Ｂの根端下側からは内実３Ｇが差出されている。
【００１１】
該壁パネル３を該壁躯体柱（２Ａ，２Ｂ）に張設するには、相隣り合う壁躯体柱間（主柱と主柱間または主柱２Ａと間柱２Ｂ間）の下側所定位置に接合金具４を差渡し、縦長孔１１Ａを介してビス１２または釘によって固定し、最下段の壁パネル３を壁躯体柱２Ａ，２Ｂのいずれかまたは双方に当接し、該壁パネル３の下側の内実３Ｇを該接合金具４の受板６の上側の実嵌合部９に嵌合し、次いで上段の接合金具４を壁躯体柱２Ａ，２Ｂ間に差渡し同様に固定すると共に、該壁パネル３の上縁の下実３Ａを該接合金具４の受板６の下側の実嵌合部１０に嵌合する。次いで一段上の壁パネル３を壁躯体柱２Ａ，２Ｂに並列させつゝ該壁パネル３の下縁の内実３Ｇを該接合金具４の受板６の上側の実嵌合部９に嵌合する。
【００１２】
このようにして図５に示すように上下の壁パネル３，３が接合金具４を介して接合されかつ壁躯体柱２に固定され、以下同様にしてそれより上段の壁パネル３を壁躯体柱２に張設して行く。左右の壁パネル３，３の接合部においては、図６に示すように左側の壁パネル３の右辺の下実３Ａの上に右側の壁パネル３の左辺の上実３Ｂを重ねる。このようにして壁構造１が構築されるが、該壁構造１にあっては壁パネル３の上下接合部には図５に示すように上側の壁パネル３の上実３Ｂの面取り部３Ｆと下側の壁パネル３の面取り部３Ｃおよび段部３Ｄとによって形成される目地３Ｈが介在し、左右接合部には図６に示すように左右の壁パネル３の面取り部３Ｃ，３Ｆによって形成される目地３Ｉが存在する。この場合左右の壁パネル３，３の接合部が壁躯体柱２，２間に位置しても、該壁パネル３の上下二辺が全長にわたって接合金具４によってバックアップされているから、該接合部においては双方の壁パネル３の下実３Ａと上実３Ｂとが密接し隙間を生じない。したがって目地３Ｉの見栄えがよくなり、かつ防水性が向上する。
そして該接合部において左右の壁パネル３，３の端部は該接合金具４に固定され、壁パネル３，３の施工後の変形が防止される。そして該接合金具４の端部において、該庇板８の爪部８Ａが壁パネル３に食い込んで、該壁パネル３の左右のずれを阻止する。
【００１３】
本発明では左右の壁パネル３，３の接合部が壁躯体柱２Ａ，２Ｂ間に位置する場所にのみ、接合金具４を差渡し、その他の場所、即ち左右の壁パネル３，３の接合部が壁躯体柱２Ａ，２Ｂ間に位置する場合には図８に示すように従来の接合金具１４を使用してもよい。
【００１４】
【発明の効果】
本発明のパネル接合金具は、相隣り合う壁躯体柱間に差渡すことが出来る長さを有するので、左右の壁パネルの接合部が壁躯体柱間に位置しても、該接合部をバックアップすることが出来る。したがって左右の壁パネルの接合部が相欠り接合の場合、双方の壁パネルの下実と上実とが密接し、壁パネル間の目地の見栄えがよくなり、かつ漏水のおそれがない。また左右の壁パネルの接合部の位置が制約を受けないので施工がし易くなり、壁パネルの端部もパネル接合金具によって固定された状態となるので、壁パネル施工後の変形がしにくくなる。
【図面の簡単な説明】
図１〜図７は本発明の一実施例を示すものである。
【図１】  壁躯体柱間にパネル接合金具を差渡した状態の斜視図
【図２】  パネル接合金具の端部分斜視図
【図３】  壁パネルの斜視図
【図４】  壁パネルの一部省略側面図
【図５】  上下の壁パネルの接合部分断面図
【図６】  左右の壁パネルの接合部分断面図
【図７】  壁パネルを張設した状態の壁構造斜視図
【図８】  壁躯体柱間に従来のパネル接合金具を取付けた状態の斜視図
【図９】  従来の壁パネルの接合部分断面図
【符号の説明】
１          壁構造
２Ａ，２Ｂ  壁躯体柱
３          壁パネル
３Ａ        下実
３Ｂ        上実
４          パネル接合金具
５          台部
６          受板
７，８      庇板
９，１０    実嵌合部
【図１】
0003919938.tif 000002
【図２】
0003919938.tif 000003
【図３】
0003919938.tif 000004
【図４】
0003919938.tif 000005
【図５】
0003919938.tif 000006
【図６】
0003919938.tif 000007
【図７】
0003919938.tif 000008
【図８】
0003919938.tif 000009
【図９】
0003919938.tif 000010